(57)【要約】【課題】時や場所を選ばずして、故人を深く追想し、祀ることが可能であるメモリーボックスを提供する。【解決手段】底板の周囲に側壁を立接し上面を開口してなる箱主体と、この箱主体の上面開口部を閉塞する開閉自在な蓋体とを備えるメモリーボックスであって、蓋体において、箱主体の底板と対向可能な面側に、写真を掲示できる写真ケースを装着させ、箱主体或いは蓋体のいずれかに、記録された音声が再生可能な音声再生装置を内蔵させる。【選択図】図１
0003127075.tif 000002
【実用新案登録請求の範囲】
【請求項１】
底板の周囲に側壁を立接し上面を開口してなる箱主体(1)と、
一の側壁の上端辺に連結され、該上端辺を軸に回動でき、該箱主体の上面開口部を閉塞する開閉自在な蓋体(2)と、
を備えるメモリーボックスであって、
該蓋体において、該箱主体の底板と対向可能な面側に、写真を掲示できる写真ケース(5)が装着されており、
該箱主体或いは蓋体のいずれかに、記録された音声を再生可能な音声再生装置(6)が内蔵されていることを特徴とするメモリーボックス。
【請求項２】
請求項１に記載のメモリーボックスであって、
前記音声再生装置(6)がデジタル式ボイスレコーダーであることを特徴とするメモリーボックス。
【請求項３】
請求項１又は２に記載のメモリーボックスであって、
前記蓋体(2)は、
連結される該箱主体(1)の一の側壁とほぼ同じ幅を有する中央板(10)と、
該中央板(10)の左右の両端辺で各々連結された一対の側板(11)と、
を備えており、
該両側板は、該中央板の左右の両端辺を軸として各々回動可能であり、
該両側板(11)を該中央板(10)と接面するように各々回動させることで、前記蓋体(2)を折り畳むことが可能であることを特徴とするメモリーボックス。
【請求項４】
請求項１〜３のいずれか一に記載のメモリーボックスであって、
前記蓋体(2)が、開蓋時には後方に所要の傾斜状態をなして係止めされるように取り付けられていることを特徴とするメモリーボックス。
【請求項５】
請求項１〜４のいずれか一に記載のメモリーボックスであって、
前記箱主体(1)内には該底板と平行な祭壇板(20)が備えられており、
該祭壇板(20)には所望の形状が掘り込まれた凹部(21)が形成されており、所望の物品が該凹部(21)に嵌号されることで、該所望の物品が該祭壇板(20)の上面からほぼ出っ張ることなく該祭壇板(20)内に収納可能であることを特徴とするメモリーボックス。
【請求項６】
請求項５に記載のメモリーボックスであって、
前記所望の物品が、故人に関する品を包含した可搬型袋(25)であることを特徴とするメモリーボックス。
【請求項７】
請求項１〜６に記載のメモリーボックスであって、
前記箱主体(1)内を複数の区画に仕切る仕切り枠(26)と、
該区画毎に収容される引き出し(27)を少なくとも一つ備えていることを特徴とするメモリーボックス。
【考案の詳細な説明】
【技術分野】
【０００１】
本考案は、時や場所を選ばずして、故人を深く追想し、祀ることが可能であるメモリーボックスに関する。
【背景技術】
【０００２】
仏壇は位牌と共に先祖や亡くなった親族を祀るためのものである。従来の仏壇は長大で各種の装飾が施された宗教色が強く、定置されたものが普及していた（特許文献１）。具体的には、２枚の扉が前方へ観音開きに開く戸を、一重または二重に備え、仏壇内には、香炉・燭台・花立て・茶湯器・仏飯器・高杯・リン・木魚・打敷等の仏具が荘厳されていた。
【０００３】
また、仏壇は故人を供養するのみならず、故人の生前のありし日々を追慕する手段にもなりうる。従って宗派のしきたりを超えて、仏壇内に故人の写真を飾ったり、故人を想起させる想い出の品を保管したり、故人の嗜好にあったものを供えたりしていた。
【０００４】
しかしながら、故人への礼拝や回想をするためには、仏壇が定置された場所へ赴く必要がある。加えて、いったん設置された長大な仏壇は移動しにくい。また、昨今の住宅事情から、法事等の仏事をする際に予想される来客を見込んだ仏壇の設置場所を用意することが難しい上、大型の仏壇そのものを定置する場所を確保することも困難である問題があった。
【０００５】
さらに、日々仏壇を祀っていた江戸時代に比べ、最近は盆や彼岸等の特別な時以外は、仏壇に接する習慣が減っている。また宗教離れも相俟って、宗教色の強い仏具や、宗派毎のしきたりに従った祀り方に抵抗を感じる層もあった。
【特許文献１】実用新案登録第３１１２７９９号
【考案の開示】
【考案が解決しようとする課題】
【０００６】
本考案は、従来のこのような問題点を解決するために成されたものである。本考案の第１の目的は、故人を祀ると共に故人をしのぶことができ、容易に持ち運び可能なメモリーボックスを提供することにある。また、第２の目的は、無宗派層にも抵抗無く礼拝可能なメモリーボックスを提供することにある。
【課題を解決するための手段】
【０００７】
上記の目的を達成するために、本考案の第１のメモリーボックスは、底板の周囲に側壁を立接し上面を開口してなる箱主体１と、一の側壁の上端辺に連結され、該上端辺を軸に回動でき、該箱主体の上面開口部を閉塞する開閉自在な蓋体２と、を備える。この蓋体２において、箱主体１の底板と対向可能な面側に、写真を掲示できる写真ケース５が装着されており、箱主体１或いは蓋体２のいずれかに、記録された音声を再生可能な音声再生装置６が内蔵できる。
【０００８】
また、本考案の第２のメモリーボックスは、音声再生装置６をデジタル式ボイスレコーダーとすることができる。
【０００９】
さらにまた、本考案の第３のメモリーボックスは、蓋体２が、連結される箱主体１の一の側壁とほぼ同じ幅を有する中央板１０と、中央板１０の左右の両端辺で各々連結された一対の側板１１と、を備える。また、両側板１１は、連結された中央板の左右の両端辺を軸として各々回動可能であり、両側板１１を中央板１０と接面するように各々回動させることで、蓋体２を折り畳むことが可能である。
【００１０】
さらにまた、本考案の第４のメモリーボックスは、蓋体２が、開蓋時には後方に所要の傾斜状態をなして係止めされるように取り付けられていることを特徴とする。
【００１１】
さらにまた、本考案の第５のメモリーボックスは、箱主体１内には底板と平行な祭壇板２０が備えられている。この祭壇板２０には所望の形状が掘り込まれた凹部２１が形成されており、所望の物品が凹部２１に嵌号されることで、所望の物品が祭壇板２０の上面からほぼ出っ張ることなく祭壇板内に収納できる。
【００１２】
さらにまた、本考案の第６のメモリーボックスは、所望の物品が、故人に関する品を包含した可搬型袋２５とすることができる。
【００１３】
さらにまた、本考案の第７のメモリーボックスは、箱主体１内を複数の区画に仕切る仕切り枠２６と、この区画毎に収容される引き出し２７を少なくとも一つ備えることができる。
【考案の効果】
【００１４】
本考案の第１のメモリーボックスは、故人の写真を載置でき、また予め生前に録音された故人の音声を再生できる音声再生装置を備えた、可搬型の箱である。さらに、箱の中には、故人にまつわる品や仏具等、所望の物品を収納できる。従って、いつでも、どこでも、故人を供養したり、故人の生前の様子を回想したり、故人が後世に伝えたかったメッセージを聞くことができる効果を奏する。
【００１５】
また、本考案の第２のメモリーボックスは、音声再生装置をデジタル式ボイスレコーダーとする。これにより、音声を再生するための操作が容易である上、必要な部品点数を少なく抑えられる。さらに、音声を再生するために必要な機械的動作の工程も減少する。従って、音声再生装置の反復動作における故障の要因を低減できる。
【００１６】
さらに、本考案の第３のメモリーボックスによれば、箱主体よりも幅広な蓋体を折り畳むことで、蓋体の幅を箱主体の幅とほぼ同一にできる。これにより蓋体が過不足なく箱主体の開口部を閉塞することができ、メモリーボックス内の物品が放出しない効果を奏する。また、蓋体を折り畳み方式にすることにより、蓋体自体の面積を拡大できる。これによりより多くの写真を掲載できるスペースが確保される効果を奏する。
【００１７】
さらにまた、本考案の第４のメモリーボックスによれば、蓋体が所要の角度をもって自立できる。これにより蓋体に設置される写真を視認しながら、故人の音声を聞いたり礼拝したりすることができる。
【００１８】
さらにまた、本考案の第５のメモリーボックスによれば、箱主体内に備えられる祭壇板に所望の凹部を形成し、この凹部内に物品を格納することで、物品が上方に出っ張ることなく収納される。これにより蓋体が箱主体を閉塞する際、物品が蓋体にあたることなく、箱主体と蓋体との密閉度を高める効果を奏する。しいては、祭壇坂内に収納された物品がメモリーボックスの外側へ放出するのを防げる。
【００１９】
さらにまた、本考案の第６のメモリーボックスによれば、故人に関する品が包含された可搬型袋を収納できる凹部を有する。可搬型袋を携帯しない際には、この凹部に可搬型袋を格納することで、紛失することなく保管できる効果を奏する。
【００２０】
さらにまた、本考案の第７のメモリーボックスによれば、引き出しを設けることで、所望の物品を整理整頓して収納することができる効果を奏する。
【考案を実施するための最良の形態】
【００２１】
以下、本考案の実施例を図面に基づいて説明する。ただし、以下に示す実施例は、本考案の技術思想を具体化するためのメモリーボックスを例示するものであって、本考案はメモリーボックスを以下のものに特定しない。さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
また、本考案の故人とは、亡くなった人のみならず、愛玩され死んだペットをも含む意味で使用する。
【実施例】
【００２２】
（箱主体）
図１〜３は実施例に係るメモリーボックスの説明図である。 図１は、実施例に係るメモリーボックスの斜視図である。図２は、メモリーボックス内に収納される祭壇板２０の斜視図である。さらに図３は、祭壇板２０を外したメモリーボックスの斜視図である。
【００２３】
図１に示すメモリーボックスは、底板の周囲に側壁を立接し、上面に開口部を有する箱形の箱主体１と、この箱主体１の開口部を閉塞可能な蓋体２とを備える。側壁は底板に対してほぼ垂直に立接するものでもよいが、図１に示すように、側壁の外面側にふくらみをもたせたものや、非直線的な形状でもよい。また、箱主体１は、その上部に従って開口部の面積を小さくした、略台形状とすることもできる。さらには、側面の外面側に例えば彫刻等で装飾を施したり、或いは装飾した板を側壁の上にさらに被覆してもよい。これにより意匠性が高まる。また、実施例のメモリーボックスの材質は、木製の他、ステンドグラス等の装飾が施された一部ガラス製、陶器製等が挙げられる。
【００２４】
（蓋体）
箱主体１の一の側壁の上端辺と、蓋体２は、蝶番やヒンジなどの連結部３を介して連結されている。蓋体２は、連結される上端辺を軸として回動可能であり、箱主体１を開閉自在としている。また、蓋体２には、開閉を容易にするための取っ手４が設けられている。取っ手４は図１に示すような突起状のものに限らず、蓋体２の側面の一部に凹部を設けたものでもよい。この場合は、凹部に手を添えた状態で蓋体２を上部へ押し上げることにより、蓋体２を開くことができる。
【００２５】
また、蓋体２は連結される箱主体１の側壁とほぼ同じ幅を有する中央板１０と、中央板１０の左右の両端片に連結された一対の側板１１とを備える。側板１１は、中央板１０の幅の１／２以下とすることが好ましい。これにより後述するが、蓋体２をコンパクトに折り畳むことができる。また、中央板１０と両側板１１は蝶番やヒンジ等の連結部１２を介して連結されており、両側板１１は連結部１２を介して回動可能である。また、蓋体２は両側板１１を備えず、中央板１０のみで構成されてもよい。これによりメモリーボックスの軽量化が図れる。
【００２６】
（蓋体の自立）
また、蓋体２は開蓋時には後方に所要の傾斜状態をなして係止めされるように取り付けられている。蓋体２は、箱主体１の閉塞時を基準にして、上方へ９０度〜１３０度の角度でもって自立するように構成されるのが好適である。これにより蓋体２に掲示された写真を視認しながら、故人の音声を聞いたり、故人を祀ったり追憶することが可能となる。
【００２７】
（蓋体の開閉）
箱主体１を閉塞する場合、開蓋の状態から、蓋体２の中央板の前面側に側板１１が接面するよう、側板１１を回動させ蓋体２を折り畳む。蓋体２を、連結された箱主体１の側面上端辺を軸にして、箱主体１側へ倒すことにより、箱主体１は閉塞される。一方、箱主体１を開口する場合は、蓋体２に備えられた取っ手４を把持した状態で、蓋体２を上部に押し上げ、連結部３によって所要の位置に係り止めされる角度まで蓋体２を回動させる。必要に応じて、中央板１０と接面した状態で折り畳まれている左右の両側板１１を、観音開きのように、中央から両側に開く。
【００２８】
（写真ケース）
実施例のメモリーボックスは、蓋体２において、箱主体１を閉塞した際に箱主体１の底面と対向する前面側に、写真を掲載できる写真ケース５を装着している。透明性の高い写真ケース５に写真を挿入することで、蓋体２を開蓋時に写真を眺めることができる。ただ、写真ケース５に挿入するものとしては写真に限らない。例えば手紙やはがき、押し花など、厚みの薄いものが好適である。このように故人にゆかりの品を掲示することで、追憶の念が高まる。また、写真ケース５の装着個所は蓋体２の前面側のみならず、前面と反対側である後面側に設けることもできる。これにより、蓋体２を閉塞した際も写真等を視認することができる。
【００２９】
（音声再生装置）
実施例１のメモリーボックスには音声再生装置６が内蔵されている。また、再生された音声が出力されるスピーカー９を備える。音声再生装置として、例えばカセットテーププレイヤー、ＣＤプレイヤー、ＭＤプレイヤー、ＩＣレコーダー等のボイスレコーダーが挙げられる。実施例１のメモリーボックスでは、例えばＩＣレコーダーのようなデジタル式のボイスレコーダー６を使用している。ＩＣレコーダー６は、デジタル方式で音声を記録するレコーダーであり、記録された音声データはＩＣレコーダー６に内蔵されているフラッシュメモリに記録される。一方、カセットテーププレイヤー、ＣＤプレイヤー、ＭＤプレイヤーは、別個、記録メディアを必要とする。記録された音声を再生するには、記録メディアを機器に装入しデータを読み取らせる。従って、ＩＣレコーダー６では、カセットテープやＣＤ、ＭＤと異なり、記録メディアと一体型であるため、音声データを紛失することがない。さらに、音声を再生するのに必要な部品点数が少ないことより、機械的な動作や接触の回数を減らせ、ひいては故障の要因を低減できる。
【００３０】
また、ＩＣレコーダー６は、カセットテープのように頭出しを行なう手間がかからず操作が容易である上、記録時間がテープと比べて長い。図１では音声を再生する音声再生ボタン７と、音声を停止する音声停止ボタン８、音声を録音する音声録音ボタン１３を備える。その他、一時停止ボタン、音量小及び大ボタン、イヤホン差し込み口等の機械的スイッチを設け、機能を別途付加してもよい。また、フラッシュメモリはカセットテープ、ＣＤ、ＭＤと比べて小さいので、ＩＣレコーダ本体のサイズも小さくできる。従ってメモリーボックス内にＩＣレコーダーを埋蔵するのに必要なスペースを低減できる。さらに、カセットテープと違い、記録した音声が劣化しないのもＩＣレコーダの利点である。
【００３１】
（音声録音）
記録する音声の内容は特に限定しないが、会話、歌声、説教、漫才、落語、遺言等を予め生前に録音しておく。また、故人の音声に加え、故人以外の者の音声が録音されても構わない。音声を録音する際は、音声録音ボタン１３を押して録音を開始する。音声の録音、再生方法は通常広く使用されているボイスレコーダーでの使用方法と同じである。
【００３２】
（祭壇板）
実施例のメモリーボックスは、箱主体１の開口部に祭壇板２０を収容することができる。図２に祭壇板２０の斜視図を示す。また、図３は祭壇板２０が取り外されたメモリーボックスの斜視図である。祭壇板は箱主体１内に固着してもよいし、脱着可能としてもよい。祭壇板２０が取り外し可能な場合は、その空間に他の所望の品を保管したり、後述するが引き出しを備えたりすることもできる。
【００３３】
図１及び図２に示す祭壇板２０は、故人にまつわる品や仏具等の物品を収容することができる。祭壇板２０には所望の形状が彫り込まれた凹部２１が形成されており、この凹部２１に物品を嵌号して収容する。これにより物品が祭壇板２０の上面から出っ張ることなく収まる。予め収納する品が決まっている場合、祭壇板２０に形成される凹部２１の形状を、その品の形状に類似したものにすれば、凹部２１の空間内に品が余剰なく収まる。つまり、品と凹部との隙間を過不足なく収納できるため、凹部から品が脱落するのを防ぐことができる。
【００３４】
実施例のメモリーボックスは、祭壇板２０内に位牌２２、線香２３、線香立て２４を収容するための凹部２１が形成されている。また、位牌２２を立てるための溝を別途設けてもよい。位牌２２を溝に設置し、凹部から取り出した線香２３を線香立て２４に立てれば、簡易型の仏壇になり、故人を祀ることができる。さらに、このメモリーボックスは可搬型であるため、時間、場所を選ばずに故人のお祀り、追憶ができる。
【００３５】
祭壇板２０内に収容する品は実施例に列挙した上記のものに限定しない。例えばマリア像、十字架、香、香炉、ろうそく、ろうそく立て等、メモリーボックスの所持者或いは故人の嗜好にあった所望の品を収容できる。
【００３６】
また、故人の骨や、故人が所有していた指輪、宝石、形見の品など、故人にゆかりのものを可搬型袋２５に入れ、常時形態することで、故人を身近に感じ心の安定を図ることができる。しかし入浴時や就寝時等に可搬型袋２５を肌身から離した場合、置き場所を忘れてしまい大切な可搬型袋２５を紛失する虞があった。このような不慮の事故をなくすため、祭壇板２０には可搬型袋２５を収容できる凹部２１が形成されている。可搬型袋２５の常時の収容場所を固定することで、故人に関係の深い品が含有した可搬型袋２５を紛失する可能性を著しく減少できる。想い出の品を可搬型袋２５内に収容しない場合、例えば時計やネックレス等、直に身につける品についても、同様に祭壇板２０内の凹部２１に収容できるのは、もちろんのことである。
【００３７】
（収納箱）
また、図３は、箱主体１内に設置可能な祭壇板２０を取り外したメモリーボックスの斜視図である。図示するように、実施例のメモリーボックスは、箱主体１内に仕切り枠２６を備えることで、複数の区画を有することができる。この区画毎の体積に応じた引き出し２７を設けることにより、メモリーボックス内の空間を有効に利用できる。引き出し２７内には般若心経の本、数珠、ろうそく、マッチ等、所望の小物を散らばることなく収納できる。
【００３８】
実施例のメモリーボックスは、故人の写真及び音声を知覚することで、故人の生前の様子を思い出すことができ、追憶の念が深まる。特に故人の音声は、故人の具体的な声色、言葉遣い、口調等、故人特有の特徴や人柄を思い出させることができる。これは、例えば故人と面識のなかった者にとっても、故人を深く知る手がかりとなる。また、本考案のメモリーボックスは可搬型であるため、時や場所を選ばずして、故人を追想したり祀ったりすることができる。またメモリーボックスは、収納する品を仏具に限定しないため、故人を懐かしむ想い出の品を備えた箱として、宗教を超えて使用することができる。
【産業上の利用可能性】
【００３９】
本考案のメモリーボックスは、人生のメモリアルな出来事を、写真と音声と品とで回想できる記念の箱とすることができる。例えば、新生児の産声を再生可能とし、新生児の写真やへその緒、さらに初毛筆等を収納できる箱が挙げられる。また、結婚式や新婚旅行の写真を備え、婚約指輪を保管したり、二人の想い出の品を収納できる上、二人の近いの言葉を再生できるウエディングメモリーボックスとすることができる。
【図面の簡単な説明】
【００４０】
【図１】実施例に係るメモリーボックスの斜視図である。
【図２】メモリーボックス内に収納される祭壇板２０の斜視図である。
【図３】祭壇板を外したメモリーボックスの斜視図である。
【符号の説明】
【００４１】
１…箱主体
２…蓋体
３…連結部
４…取っ手
５…写真ケース
６…音声再生装置（ＩＣレコーダー）
７…音声再生ボタン
８…音声停止ボタン
９…スピーカー
１０…蓋体の中央板
１１…蓋体の側板
１２…蓋体の連結部
１３…音声録音ボタン
２０…祭壇板
２１…凹部
２２…位牌
２３…線香
２４…線香立て
２５…可搬型袋
２６…仕切り枠
２７…引き出し
【図１】
0003127075.tif 000003
【図２】
0003127075.tif 000004
【図３】
0003127075.tif 000005